(57)【要約】【課題】  撮像装置から多様なアクセサリへの電源供給を、回路規模の複雑化を抑制しつつ実現すること。【解決手段】  アクセサリを着脱可能な撮像装置であって、アクセサリとの電気的な接続に用いる端子を含む複数の端子と、複数の端子に係る制御を行う制御手段と、を有し、アクセサリが撮像装置に装着された状態で、複数の端子は、撮像装置からアクセサリに信号を出力するための第１の端子と、アクセサリから撮像装置に出力された信号を入力するための第２の端子と、アクセサリに第１の電源を供給するための第３の端子と、を含み、制御手段は、第１の端子に第１の信号を出力した際に、第２の端子の入力信号である第２の信号を検出し、第２の信号が第１の信号に同期して変化する信号であることを検出した場合に、第３の端子を介して、アクセサリへと第１の電源を供給することを特徴とする構成とした。【選択図】  図１
2020095221.tif 000002
【特許請求の範囲】
【請求項１】
アクセサリを着脱可能な撮像装置であって、
前記アクセサリに設けられた第２マウント部との結合が可能な第１マウント部は、
前記アクセサリとの電気的な接続に用いる端子を含む複数の端子と、
前記複数の端子に係る制御を行う制御手段と、
を有し、
前記アクセサリが前記撮像装置に装着された状態で、前記複数の端子は、前記撮像装置から前記アクセサリに信号を出力するための第１の端子と、前記アクセサリから前記撮像装置に出力された信号を入力するための第２の端子と、前記アクセサリに第１の電源を供給するための第３の端子と、を含み、
前記制御手段は、前記第１の端子に第１の信号を出力した際に、前記第２の端子の入力信号である第２の信号を検出し、当該第２の信号が前記第１の信号に同期して変化する信号であることを検出した場合に、前記第３の端子を介して、前記アクセサリへと前記第１の電源を供給することを特徴とする撮像装置。
【請求項２】
前記第１の端子および第２の端子は、前記撮像装置と前記アクセサリとの通信に用いる通信用の端子であって、
前記第１の信号は、前記撮像装置から前記アクセサリへ出力されるデータ信号であって、
前記第２の信号は、前記アクセサリから前記撮像装置へ入力されるデータ信号であることを特徴とする請求項１に記載の撮像装置。
【請求項３】
前記制御手段は、前記第２の信号が前記第１の信号に同期して変化する信号ではない場合に、前記アクセサリへ前記第１の電源を供給しない事を特徴とする請求項１又は２に記載の撮像装置。
【請求項４】
前記複数の端子は、前記第１の電源とは異なる第２の電源を前記アクセサリに供給するために用いる第４の端子と、前記撮像装置に前記アクセサリが装着されたことを検出するための第５の端子と、を含み、
前記制御手段は、前記第５の端子を用いて、前記撮像装置に前記アクセサリが装着されたことを検出した後に、前記第４の端子を用いた前記第２の電源の前記アクセサリへの供給が開始され、その後、前記第１の端子および前記第２の端子を用いた信号の入力および出力を行うことを特徴とする請求項３に記載の撮像装置。
【請求項５】
前記複数の端子は、前記第１の端子とは異なる端子であって、前記撮像装置から前記アクセサリに信号を出力できる第６の端子を備え、
前記制御手段は、前記第４の端子を用いた前記第２の電源の前記アクセサリへの供給が開始された後に、所定時間で前記第６の端子が第１の電圧レベル以下を示さない場合、または、前記第６の端子が前記第１の電圧レベル以下を示した後であって所定時間以内に前記第２の端子が第２の電圧レベル以下とならなかった場合に、前記第１の信号を前記第１の端子を介して前記アクセサリに出力することを特徴とする請求項４に記載の撮像装置。
【請求項６】
前記制御手段は、前記第２の信号が前記第１の信号に同期して変化する信号ではない場合に、前記アクセサリへ前記第２の電源の供給を遮断することを特徴とする請求項５に記載の撮像装置。
【請求項７】
前記第２の電源は、前記撮像装置と前記アクセサリとの通信制御用の電源であることを特徴とする請求項４乃至６の何れか１項に記載の撮像装置。
【請求項８】
アクセサリを着脱可能な撮像装置であって、
前記アクセサリに設けられた第２マウント部との結合が可能な第１マウント部は、
前記アクセサリとの電気的な接続に用いる端子を含む複数の端子と、
前記複数の端子に係る制御を行う制御手段と、
を有し、
前記アクセサリが前記撮像装置に装着された状態で、前記複数の端子は、前記撮像装置から前記アクセサリに信号を出力するための第１の端子と、前記アクセサリから前記撮像装置に出力された信号を入力するための第２の端子と、前記アクセサリに第１の電源を供給するための第３の端子と、前記アクセサリに前記第１の電源とは異なる第２の電源を供給するための第４の端子と、を含み、
前記制御手段は、前記第４の端子を介して前記アクセサリに前記第２の電源の供給を開始した後、前記第１の端子および前記第２の端子が示す電圧レベルが、所定の時間を超えても変化しない、または、所定の電圧レベル以下となる場合に、前記第３の端子を介して、前記アクセサリへと前記第１の電源を供給することを特徴とする撮像装置。
【請求項９】
前記第１の端子および第２の端子は、前記撮像装置と前記アクセサリとの通信に用いる通信用の端子であって、
前記第１の信号は、前記撮像装置から前記アクセサリへ出力されるデータ信号であって、
前記第２の信号は、前記アクセサリから前記撮像装置へ入力されるデータ信号であることを特徴とする請求項８に記載の撮像装置。
【請求項１０】
前記制御手段は、前記第４の端子を介して前記アクセサリに前記第２の電源の供給を開始した後、前記第１の端子が示す電圧レベルが前記所定の時間を超えても変化せず、前記第２の端子が示す電圧レベルが前記所定の電圧レベル以下とならない場合に、前記アクセサリへ前記第１の電源を供給しない事を特徴とする請求項９に記載の撮像装置。
【請求項１１】
前記制御手段は、前記第４の端子を介して前記アクセサリに前記第２の電源の供給を開始した後、前記第１の端子が示す電圧レベルが前記所定の時間を超えても変化せず、前記第２の端子が示す電圧レベルが前記所定の電圧レベル以下とならない場合に、前記アクセサリへ前記第２の電源の供給を遮断することを特徴とする請求項１０に記載の撮像装置。
【請求項１２】
前記第１の電源は、前記アクセサリに設けられたアクチュエータ、あるいは、前記アクセサリに装着された交換レンズに設けられたアクチュエータを駆動するための電源であることを特徴とする請求項１乃至１１の何れか１項に記載の撮像装置。
【請求項１３】
前記アクセサリは、前記撮像装置に直接接続できる交換レンズまたはアダプタであることを特徴とする請求項１乃至１２の何れか１項に記載の撮像装置。
【請求項１４】
前記制御手段は、前記撮像装置から前記アクセサリへ第３の端子を介して前記第１の電源を供給する場合、当該第１の電源を当該撮像装置が供給可能な電力に応じた電圧レベルにして前記アクセサリに供給することを特徴とする請求項１乃至１３の何れか１項に記載の撮像装置。
【請求項１５】
撮像装置に着脱可能なアクセサリであって、
前記撮像装置に設けられた第１マウント部との結合が可能な第２マウント部は、
前記撮像装置との電気的な接続に用いる端子を含む複数の端子を有し、
前記複数の端子は、前記アクセサリが前記撮像装置に装着された状態で、前記撮像装置から出力された信号を入力するのに用いる第１の端子と、前記撮像装置に信号を出力するために用いる第２の端子と、前記撮像装置から第１の電源を供給される際に用いる第３の端子と、を含み、
前記撮像装置が前記アクセサリに前記第１の電源を供給するか否かを判定するために、前記第１の端子と前記第２の端子は、前記アクセサリの内部で互いに電気的に接続されていることを特徴とするアクセサリ。
【請求項１６】
前記第２の端子は、前記撮像装置から前記第１の端子を介して入力された信号に同期した出力信号を前記撮像装置へと出力できることを特徴とする請求項１５に記載の撮像装置。
【請求項１７】
前記第１の端子に入力された信号に基づいて、当該信号に同期した信号を前記第２の端子に出力するための電気回路を有する事を特徴とする請求項１５に記載のアクセサリ。
【請求項１８】
撮像装置に着脱可能なアクセサリであって、
前記撮像装置に設けられた第１マウント部との結合が可能な第２マウント部は、
前記撮像装置との電気的な接続に用いる端子を含む複数の端子を有し、
前記複数の端子は、前記アクセサリが前記撮像装置に装着された状態で、前記撮像装置から出力された信号を入力するのに用いる第１の端子と、前記撮像装置に信号を出力するために用いる第２の端子と、前記撮像装置から第１の電源を供給される際に用いる第３の端子と、を含み、
前記第１の端子と前記第２の端子は、前記撮像装置が前記アクセサリに前記第１の電源を供給するか否かを判定するために、前記アクセサリが前記撮像装置に装着された状態で基準電圧レベルを示すことを特徴とするアクセサリ。
【請求項１９】
前記第１の端子と前記第２の端子は、前記アクセサリの内部でグランドレベルに接続されていることを特徴とする請求項１８に記載のアクセサリ。
【請求項２０】
前記第１の端子と第２の端子は、電圧レベルが同電位となるように、互いが電気的に接続された、または同一の部材で構成されていることを特徴とする請求項１５乃至１９の何れか１項に記載のアクセサリ。
【請求項２１】
前記第３の端子に供給された前記第１の電源の電圧レベルを検出するための検出手段を有し、
前記検出手段は、前記撮像装置から前記第１の電源が供給された場合に、当該第１の電源の電圧レベルに応じて、前記アクセサリにおいて使用可能な電力を判定することを特徴とする請求項１５乃至２０の何れか１項に記載のアクセサリ。
【請求項２２】
アクセサリを着脱可能な撮像装置の制御方法であって、
前記撮像装置は、前記アクセサリに設けられた第２マウント部との結合が可能な第１マウント部に、前記アクセサリとの電気的な接続に用いる端子を含む複数の端子を有し、
前記複数の端子に係る制御を行う制御工程を備え、
前記複数の端子は、前記アクセサリが前記撮像装置に装着された状態で、前記撮像装置から前記アクセサリに信号を出力するための第１の端子と、前記アクセサリから前記撮像装置に出力された信号を入力するための第２の端子と、前記アクセサリに第１の電源を供給するための第３の端子と、を含み、
前記制御工程では、前記第１の端子に第１の信号を出力した際に、前記第２の端子の入力信号である第２の信号を検出し、当該第２の信号が前記第１の信号に同期して変化する信号であることを検出した場合に、前記第３の端子を介して、前記アクセサリへと前記第１の電源を供給することを特徴とする撮像装置の制御方法。
【請求項２３】
アクセサリを着脱可能な撮像装置の制御方法であって、
前記撮像装置は、前記アクセサリに設けられた第２マウント部との結合が可能な第１マウント部に、前記アクセサリとの電気的な接続に用いる端子を含む複数の端子を有し、
前記複数の端子に係る制御を行う制御工程を備え、
前記複数の端子は、前記アクセサリが前記撮像装置に装着された状態で、前記撮像装置から前記アクセサリに信号を出力するための第１の端子と、前記アクセサリから前記撮像装置に出力された信号を入力するための第２の端子と、前記アクセサリに第１の電源を供給するための第３の端子と、前記アクセサリに前記第１の電源とは異なる第２の電源を供給するための第４の端子と、を含み、
前記制御工程では、前記第４の端子を介して前記アクセサリに前記第２の電源の供給を開始した後、前記第１の端子および前記第２の端子が示す電圧レベルが、所定の時間を超えても変化しない、または、所定の電圧レベル以下となる場合に、前記第３の端子を介して、前記アクセサリへと前記第１の電源を供給することを特徴とする撮像装置の制御方法。
【発明の詳細な説明】
【技術分野】
【０００１】
本発明は、撮像装置および撮像装置に装着可能な交換レンズ等のアクセサリに関し、特に、電気的な接続が可能な端子をマウントに備えたものに関する。
【背景技術】
【０００２】
従来、撮像装置に着脱可能なアクセサリ（カメラアクセサリ）は、撮像装置に装着された状態で、該撮像装置から電源の供給を受ける、または、該撮像装置との間で種々の命令やデータ等の通信を行うことが知られている。上述したような電源供給や通信を行うために、撮像装置とアクセサリとのマウントと称する装着部には、互いに接触することで電気的に接続される複数の端子（電気接点）が設けられていることが一般的である。
【０００３】
マウントに配置される複数の端子の中には、撮像装置にアクセサリが装着された事を検出する為に用いるアクセサリの装着検出用の端子が設けられている事が多い。このような構成において、撮像装置は、当該装着検出用の端子によりアクセサリが装着されたことを検出すると、前述した複数の端子に設けられた他の端子を用いて、アクセサリ側への電源供給やアクセサリ側との通信を行う事が可能となる。
【０００４】
一般的に、マウント部は、撮像装置に対してアクセサリを容易に着脱可能な構成とするために、撮像装置にアクセサリが非装着の状態においては、前述した複数の端子が装置の外部に露出している。その為、異物の混入や、端子の不良などが生じる虞があり、撮像装置にアクセサリが装着されていない状態であっても、アクセサリが撮像装置に装着されたと誤った検出をしてしまう場合がある。すなわち、撮像装置としては、前述した装着検出用の端子の出力のみに基づいて、撮像装置にアクセサリが装着されている否かを正確に検出できない場合がある。
【０００５】
例えば、特許文献１では、撮像装置側でレンズの装着が検出された後に、撮像装置からレンズに電源供給を実施するが、通信が成立していない場合には当該電源の供給を遮断することで回路の不具合を防ぐ技術について開示されている。
【先行技術文献】
【特許文献】
【０００６】
【特許文献１】特開２００１−０１３５６９号公報
【発明の概要】
【発明が解決しようとする課題】
【０００７】
しかしながら、特許文献１に記載の技術では、レンズ（アクセサリ）として、撮像装置との通信が行えない構成において撮像装置からアクセサリへの電源の供給を行わない構成である。したがって、例えば、単にカメラとの通信を行わないようなアクセサリが撮像装置に装着されたとしても、アクセサリへの電源の供給が行われないため、回路規模の複雑化を抑制しつつ、多様なアクセサリの装着に撮像装置が対応できないという問題ある。
【０００８】
本発明の目的は、撮像装置から多様なアクセサリへの電源供給を、回路規模の複雑化を抑制しつつ実現することである。
【課題を解決するための手段】
【０００９】
上記目的を達成するために、本発明の撮像装置は、アクセサリを着脱可能な撮像装置であって、前記アクセサリに設けられた第２マウント部との結合が可能な第１マウント部は、前記アクセサリとの電気的な接続に用いる端子を含む複数の端子と、前記複数の端子に係る制御を行う制御手段と、を有し、前記アクセサリが前記撮像装置に装着された状態で、前記複数の端子は、前記撮像装置から前記アクセサリに信号を出力するための第１の端子と、前記アクセサリから前記撮像装置に出力された信号を入力するための第２の端子と、前記アクセサリに第１の電源を供給するための第３の端子と、を含み、前記制御手段は、前記第１の端子に第１の信号を出力した際に、前記第２の端子の入力信号である第２の信号を検出し、当該第２の信号が前記第１の信号に同期して変化する信号であることを検出した場合に、前記第３の端子を介して、前記アクセサリへと前記第１の電源を供給することを特徴とする。
【００１０】
また、上記目的を達成するために、本発明のアクセサリは、撮像装置に着脱可能なアクセサリであって、前記撮像装置に設けられた第１マウント部との結合が可能な第２マウント部は、前記撮像装置との電気的な接続に用いる端子を含む複数の端子を有し、前記複数の端子は、前記アクセサリが前記撮像装置に装着された状態で、前記撮像装置から出力された信号を入力するのに用いる第１の端子と、前記撮像装置に信号を出力するために用いる第２の端子と、前記撮像装置から第１の電源を供給される際に用いる第３の端子と、を含み、前記撮像装置が前記アクセサリに前記第１の電源を供給するか否かを判定するために、前記第１の端子と前記第２の端子は、前記アクセサリの内部で互いに電気的に接続されていることを特徴とする。
【発明の効果】
【００１１】
本発明によれば、撮像装置から多様なアクセサリへの電源供給を、回路規模の複雑化を抑制しつつ実現することができる。
【図面の簡単な説明】
【００１２】
【図１】本発明の第１実施形態に係るレンズ交換方式を採用したカメラ本体１００と第１の交換レンズ２００が接続されているカメラ及びカメラアクセサリの内部構成ブロック図を例示的に説明した図である。
【図２】本発明の第１実施形態に係るカメラ本体１００と第１の交換レンズ２００の外観斜視図である。
【図３】本発明の第１実施形態に係る変形例を採用した第１の交換レンズ２００がカメラ本体１００と接続されている状態のブロック図を例示的に説明した図である。
【図４】本発明の第１実施形態に係る電源供給判定処理に係るフローチャートである。
【図５】本発明の第１実施形態に係るカメラ本体１００と第２の交換レンズ３００が接続されているカメラ及びカメラアクセサリの内部構成ブロック図を例示的に説明する図である。
【図６】本発明の変形例に係るレンズ交換方式を採用した第２のカメラ本体４００と第３の交換レンズ７００が接続されているカメラ及びカメラアクセサリの内部構成ブロック図を例示的に説明した図である。
【図７】本発明の変形例に係る第２のカメラ本体４００と第１の交換レンズ２００がアダプタ８００介して接続されている場合のカメラシステムに係る内部構成ブロック図を例示的に説明した図である。
【図８】本発明の第２実施形態に係るレンズ交換方式を採用したカメラ本体１００と第４の交換レンズ８００が接続されているカメラ及びカメラアクセサリの内部構成ブロック図である。
【図９】本発明の第２実施形態に係る電源供給判定処理に係るフローチャートである。
【発明を実施するための形態】
【００１３】
以下に、本発明の好ましい実施の形態を、添付の図面に基づいて詳細に説明する。
【００１４】
（第１実施形態）
以下、図１〜４を参照して、本発明の撮像装置および当該撮像装置に着脱可能なアクセサリに係る撮像システムの第１実施形態について説明する。
【００１５】
図１は、本発明の第１実施形態に係るレンズ交換方式を採用したカメラ本体１００と第１の交換レンズ２００が接続されているカメラ及びカメラアクセサリの内部構成ブロック図を例示的に説明した図である。また、図２は、本発明の第１実施形態に係るカメラ本体１００と第１の交換レンズ２００の外観斜視図である。図２（ａ）はカメラ本体１００に第１の交換レンズ２００が装着された状態を示し、図２（ｂ）はカメラ本体１００から第１の交換レンズ２００が取り外された状態を示している。また、図３は、本発明の第１実施形態に係る変形例を採用した第１の交換レンズ２００がカメラ本体１００と接続されている状態のブロック図を例示的に説明した図である。また、図４は、本発明の第１実施形態に係る電源供給判定処理に係るフローチャートである。さらに、図５は、本発明の第１実施形態に係るカメラ本体１００と第２の交換レンズ３００が接続されているカメラ及びカメラアクセサリの内部構成ブロック図を例示的に説明する図である。なお、図１および図３および図５において、撮像装置（カメラ本体１００）は同一とする。また、図１、３、５に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。したがって、以下の説明において、異なる機能ブロックが動作主体として記載されている場合であっても、同じハードウェアが主体として実現されうる。
【００１６】
まず、図５を用いてカメラ本体１００及び第２の交換レンズ３００の内部構成について説明する。なお、第２の交換レンズ３００は、マウントに設けられた後述する複数の端子を介して、カメラ本体１００との通信が可能な交換レンズである。
【００１７】
図５に図示するように、カメラ本体１００は、カメラ制御部１０１、カメラ電源部１０２、及びカメラ側通信Ｉ／Ｆ部１０３を備える。カメラ制御部１０１は、中央演算制御ユニットであるＣＰＵを内蔵したマイクロコンピュータで構成され、カメラ本体１００およびカメラ本体１００に装着された交換レンズの統括的な制御を行う。
【００１８】
なお、カメラ制御部１０１の内部にメモリ（不図示）を備えており、当該メモリは、カメラ本体１００の動作に関わるデータや、カメラ本体１００を用いて取得した種々のデータを記録可能な記録媒体である。そして、本実施形態に係るメモリは、不揮発性メモリとしてＲＯＭ領域、および揮発性メモリとしてＲＡＭ領域をそれぞれ備えている。なお、メモリはカメラ制御部１０１の内部に設けられている構成ではなく、カメラ制御部１０１の外部に設けられ、カメラ制御部１０１と電気的に接続されている構成であってもよい。
【００１９】
カメラ制御部１０１の制御に基づき、カメラ電源部１０２は各種の電源を生成し、カメラ本体１００の各ブロックに電源供給すると共に、第２の交換レンズ３００への電源供給を行う。カメラ側通信Ｉ／Ｆ部１０３は、後述のマウント部を介した第２の交換レンズ３００との通信信号の電圧レベルの切り替えなどを行う。
【００２０】
第２の交換レンズ３００は、レンズ制御部３０１、レンズ電源部３０２、レンズ側通信Ｉ／Ｆ部３０３、及び駆動回路部３０４を備える。レンズ制御部３０１は、中央演算制御ユニットであるＣＰＵを内蔵したマイクロコンピュータで構成され、第２の交換レンズ３００の統括的な制御を行う。レンズ制御部３０１の制御に基づき、レンズ電源部３０２は、カメラ本体１００側から受けた電源に基づいて各種電源を生成し、交換レンズ３００の各ブロックに電源を供給する。
【００２１】
レンズ側通信Ｉ／Ｆ部３０３は、後述のマウント部を介したカメラ本体１００との通信信号の電圧レベルの切り替えなどを行う。駆動回路部３０４は、第２の交換レンズ３００に設けられた不図示の絞りや各種レンズ群の移動等を実現するための駆動源であるアクチュエータの制御をレンズ制御部３０１の指示に基づき行う。
【００２２】
図５に図示するように、カメラ本体１００に設けられた第１マウント部Ａと第２の交換レンズに設けられた第３マウント部Ｃのそれぞれには、電気的な接続が可能な複数の電気接点として複数の端子を備える。カメラ本体１００において、当該複数の端子（カメラ側端子）は、第１マウント部Ａにおける複数の電気接点ピンとしてカメラ本体１００の外部に露出している。また、第２の交換レンズ３００において、当該複数の端子（アクセサリ側端子）は、第３マウント部Ｃにおける複数の電気接点面として第２の交換レンズ３００の外部に露出している。これら複数の端子のそれぞれは、カメラ本体１００に第２の交換レンズ３００が装着された状態で、対応する端子同士が物理的に接触し、互いの接点同士が電気的に接続される。なお、カメラ本体１００に設けられた第１マウント部Ａと各種交換レンズに設けられたマウント部を総称してマウント部１とする。
【００２３】
尚、カメラ本体１００の第１マウント部Ａおよび第２の交換レンズ２００の第３マウント部Ｃには、機械的なロック機構やマウント保持機構を有しているが、不図示とし説明は省略する。
【００２４】
（マウント部１の各種端子の説明）
以下、第１マウント部Ａおよび第３マウント部Ｃの双方に共通する各端子の機能について説明する。ＶＢＡＴ端子１５１、３５１は、絞りやフォーカスレンズの駆動に用いるアクチュエータの機械的な駆動部の動作に用いる駆動電力としての駆動用電源（ＶＢＡＴ）をカメラ本体１００側からアクセサリ側に電源供給する端子である。換言すると、ＶＢＡＴ端子１５１、３５１は、後述する通信電力以外の電源のカメラからアクセリへの供給に用いる端子である。
【００２５】
ＰＧＮＤ端子１５２、３５２は、カメラ本体１００とアクセサリ（例えば第２の交換レンズ３００）側に設けられたモータ（アクチュエータ）等を含む機械的な駆動系の端子に対応するグラウンドレベルを示す端子である。すなわち、ＰＧＮＤ端子は、駆動用電源ＶＢＡＴに対応した接地端子（グランド端子）である。
【００２６】
ＶＤＤ端子１５３、３５２は、主に通信制御に用いられる通信電力としての通信制御用電源（ＶＤＤ）をカメラ本体１００からアクセサリ（例えば第２の交換レンズ３００）に供給する端子である。なお、上述したＰＧＮＤ端子およびＤＧＮＤ端子は、カメラ本体１００とアクセサリの各種電源系とをグランドレベル（基準電圧レベル）に接地するためのグランド端子である。
【００２７】
ここで、以降に説明するＬＣＬＫ端子（１５４、３５４）、ＤＬＣ端子（１５５、３５５）、ＤＣＬ端子（１５６、３５６）は、カメラ本体１００とカメラアクセサリ（例えば第２の交換レンズ３００）との間における通信に用いられる端子である。ここで、ＬＣＬＫ端子、ＤＬＣ端子、ＤＣＬ端子は、信号の出力方式を所謂ＣＭＯＳ出力タイプとオープンタイプに切り替えることができるデータ信号を通信するための通信用の端子である。尚、本実施形態におけるＣＭＯＳ出力タイプとしては、電圧が示すＨ（Ｈｉｇｈ）とＬ（Ｌｏｗ）の双方にスイッチ出力を有するものである。これに対して、オープンタイプとしては、Ｌ側のみにスイッチ出力を有するものである。尚、オープンタイプは所謂オープンドレイン方式とオープンコレクタ方式などが一般的に知られているが、特に限定するものではなく、どちらの方式でもそれ以外であっても良い。
【００２８】
ＬＣＬＫ端子１５４、３５４は、カメラ本体１００からカメラアクセサリに出力される通信のクロック信号用の端子、および、アクセサリのビジー状態をカメラ本体１００が監視するための端子である。本実施例においては、ＬＣＬＫ端子はカメラ本体１００及び第２の交換レンズ３００それぞれで抵抗１１０、３１０を介して電源（ＶＤＤ電源）に接続されている。
【００２９】
また、アクセサリから出力されたＢＵＳＹ信号は、ＬＣＬＫ端子からカメラ側通信Ｉ／Ｆ部１０３を通して、カメラ制御部１０１へＢＵＳＹ信号として出力される。そして、カメラ制御部１０１は、ＢＵＳＹ入力端子により、ＬＣＬＫ端子１５４の電圧レベルを監視している。例えば、第２の交換レンズ３００が通信できない状態（通信不可）である場合は、ＬＣＬＫ端子３５４に電圧レベルとしてＬｏｗレベルを出力し、通信できる状態（通信可能）である場合はＬＣＬＫ端子３５４を信号の入力可能な状態に切り替える。この際、カメラ本体１００側およびアクセサリ各マウントにおけるＬＣＬＫ端子ラインには、プルアップ抵抗である抵抗１１０、３１０によって電圧レベルのＨｉｇｈレベルが出力される。すなわち、カメラ本体１００側のＬＣＬＫ端子１５４は電圧レベルとしてＨｉｇｈレベルを示す。一方、カメラ制御部１０１は、例えば、ＬＣＬＫ端子１５４の電圧レベルのＨｉｇｈレベルへの切り替わりを検出すると、第２の交換レンズ３００が通信可能な状態（ＢＵＳＹ解除状態）になったことを認識する。なお、電圧レベルのＬｏｗレベルとしては、電圧レベルが所定の電圧レベル以下となる場合であって、電圧レベルのＨｉｇｈレベルとしては、電圧レベルが当該所定の電圧レベルよりも大きくなる場合である。
【００３０】
ＤＬＣ端子１５５、３５５は、アクセサリ（例えば第２の交換レンズ３００）からカメラ本体１００へと出力される通信データ用の端子である。本実施形態では、ＤＬＣ端子はカメラ本体１００において、抵抗１１１を介して電源（ＶＤＤ電源）に接続されている。
【００３１】
ＤＣＬ端子１５６、３５６は、カメラ本体１００とアクセサリ（例えば第２の交換レンズ３００）との双方向の通信を行うための通信データ用の端子である。本実施形態では、ＤＣＬ端子は第２の交換レンズ３００において抵抗３１１を介して電源（ＶＤＤ電源）に接続されている。
【００３２】
ＭＩＦ端子１５７、３５７は、カメラ本体１００にアクセサリ（例えば第２の交換レンズ３００）が装着されたことを検出するのに用いる端子である。カメラ制御部１０１は、ＭＩＦ端子１５７が示す電圧のレベルを検出することで、カメラ本体１００に対応するアクセサリが装着されたことや、カメラ本体１００からアクセサリが離脱されたことを検出する。そして、カメラ制御部１０１は、当該検出により、例えばアクセサリの装着を検出した後に、電源系端子（ＶＤＤ端子、ＶＢＡＴ端子）への電源供給を開始し、カメラ本体１００とカメラアクセサリ間での通信を開始するように制御する。
【００３３】
なお、本実施例においては、ＭＩＦ端子１５７、３５７は、第２の交換レンズ３００側で後述のＤＧＮＤ端子と電気的に接続されており、両者は同電位となる。また、カメラ側では抵抗１１２を介して、カメラ電源部１０２のＶＤＤ電源に接続されている。この様な構成により、第２の交換レンズ３００を含むアクセサリが装着されていない状態では、カメラ制御部１０１のＭＩＦ＿ＩＮ端子が示す電圧レベルがカメラ制御部１０１に接続される電源（３．３Ｖ）相当になる。また、第２の交換レンズ３００を含むアクセサリが装着されている状態では、カメラ制御部１０１のＭＩＦ＿ＩＮ端子は基準電圧レベル（例えばグランドレベル（０Ｖ））相当を示す。この様にＭＩＦ＿ＩＮ端子の電位レベルにより、対応するアクセサリが装着されているか否かを検出する事が可能となる。
【００３４】
ＤＧＮＤ端子（１５８、３５８）は、通信制御用電源ＶＤＤに対応した接地端子（グランド端子）である。すなわち、ＤＧＮＤ端子（１５８、３５８）は、所定の端子に対応した基準電圧レベル（グランドレベル）の電圧を示す端子である。尚、本実施形態において接地とは、グランド端子の電圧のレベルを電池などの電源の負極側と略同一のレベル（グランドレベル）にすることであって、必ずしも０Ｖの電圧を示すものではない。
【００３５】
（第１の交換レンズ２００の詳細説明）
次に図１を参照して、本実施形態に係る第１の交換レンズ２００の内部構成について詳細を説明する。なお、カメラ本体１００の構成については、図５を参照して前述した通りなので説明は省略する。また、第１の交換レンズ２００における、レンズ制御部２０１、レンズ電源部２０２、駆動回路部２０４のそれぞれは、前述した第２の交換レンズ３００と略同一なので、説明を省略する。更に、第１の交換レンズ２００の第２マウント部Ｂに設けられたＶＢＡＴ端子２５１、ＰＧＮＤ端子２５２、ＶＤＤ端子２５３、ＭＩＦ端子２５７、ＤＧＮＤ端子２５８は、第３の交換レンズ３００が備える同一の端子と略同一の構成なので説明を省略する。換言すると、第１の交換レンズ２００と第２の交換レンズ３００とは、通信に用いるＬＣＬＫ端子、ＤＬＣ端子、ＤＣＬ端子の構成が互いに異なる。
【００３６】
図１に図示するように、本実施形態において、第１の交換レンズ２００の内部（内部回路）において、ＤＬＣ端子２５５とＤＣＬ端子２５６とは電気的に接続されている。  なお、本実施形態では、通信を行わないレンズであっても、第１マウント部Ａと第２マウント部Ｂの外観等を略同一としている。この構成により、第１マウント部Ａに装着可能な種々のマウント部と同じ外観部品を使用できることによる製造時のコスト低減と、第１マウント部Ａを備えたカメラ本体に装着可能な交換レンズである点を使用者が容易に判断できるようにしている。しかしながら、例えば、第１の交換レンズ２００における前述したＤＬＣ端子２５５とＤＣＬ端子２５６については、カメラ本体１００側のＤＬＣ端子１５５とＤＣＬ端子１５６に対応しないような外観であってもよい。
【００３７】
第１の交換レンズ２００のＤＬＣ端子２５５およびＤＣＬ端子２５６としては、カメラ本体１００のＤＬＣ端子１５５、ＤＣＬ端子１５６と、それぞれが電気的に接続されればよい。したがって、第１の交換レンズ２００のＤＬＣ端子２５５およびＤＣＬ端子２５６としては、カメラ本体１００のＤＬＣ端子１５５とＤＣＬ端子１５６に接続可能な同一の金属部材で構成してもよい。
【００３８】
また、図３に図示するように、第１の交換レンズ２００内に電気回路部２１０を新たに設け、カメラ本体１００側からＤＣＬ端子２５６を介して入力された信号と略同等信号をＤＬＣ端子に出力する構成としても良い。電気回路部２１０はバッファ回路やトランジスタなどで構成されるスイッチ回路であればどのようなものであってもよい。
【００３９】
また、第１の交換レンズ２００の内部構成として、ＬＣＬＫ端子２５４は電気的に何れの端子や回路とも接続されていない構成としている。すんわち、本実施形態に係る第１の交換レンズ２００において、ＬＣＬＫ端子２５４はダミー端子である。従って、第２の交換レンズ２００において、ＬＣＬＫ端子２５４を設けない構成であってもよい。
【００４０】
（アクセサリに対するＶＢＡＴ電源の供給判定処理）
次に図４を用いて、カメラ本体１００の第１マウント部Ａに装着可能なマウント部を備えたアクセサリが装着された場合の、カメラ側からアクセサリ側への電源（ＶＢＡＴ電源）の供給可否を判定するためのアクセサリへの電源供給判定処理について説明する。なお、本実施形態に係るＶＢＡＴ電源とは、前述したように、アクセサリに設けられたアクチュエータの機械的な駆動部の動作に用いる駆動電力としての駆動用電源である。対して、ＶＤＤ電源とは、カメラ本体１００とカメラ本体１００に接続されたアクセサリとの通信制御用の電源である。
【００４１】
まず、ステップＳ４０１でカメラ制御部１０１は、ＭＩＦ端子１５７の電圧レベルＭＩＦ＿ＩＮを常時監視しており、ＭＩＦ＿ＩＮのＬｏレベルを検出した場合に、第１マウント部Ａに対応する何れのアクセサリが装着されたと判断し、ステップＳ４０２へ移行する。
【００４２】
次に、ステップＳ４０２でカメラ電源部１０２は、カメラ制御部１０１からの指示により、アクセサリ用の電源（通信制御用電源ＶＤＤ）のアクセサリへの供給を開始する。
【００４３】
次に、ステップＳ４０３でカメラ制御部１０１は、ＢＵＳＹ解除待ちタイマーＴ１をクリアし、タイマーＴ１に基づく時間計測を開始し、ステップＳ４０４へ移行する。なお、タイマーによる時間計測は、カメラ本体１００の内部に設けられた不図示のリアルタイムクロックで実行される。
【００４４】
次に、ステップＳ４０４でカメラ制御部１０１は、カメラ側通信Ｉ／Ｆ部１０３を介して入力されるＬＣＬＫ端子１５４の電圧レベルをＢＵＳＹ入力端子によって監視する。そして、ＢＵＳＹ入力端子が示す電圧レベルとして、ＨｉレベルからＬｏレベルへの変化を検出しなかった場合には、ステップＳ４０５へ移行する。また、ステップＳ４０４でＢＵＳＹ入力端子が示す電圧レベルとして、ＨｉレベルからＬｏレベルへの変化を検出した場合、ステップＳ４０６へ移行する。この場合、カメラ制御部１０１は、カメラ本体１００に装着されたアクセサリがＢＵＳＹを引いたか（ＢＵＳＹ状態（処理中断状態）を示している）、通信無しで電源供給可能なアクセサリであると判断する。
【００４５】
次に、ステップＳ４０５でカメラ制御部１０１は、ＢＵＳＹ解除待ちタイマーＴ１が、ＢＵＳＹ解除待ちタイマーのタイムアウト時間Ｔ１＿ＭＡＸ未満であるかを判定する。なお、タイムアウト時間Ｔ１＿ＭＡＸについては、予め前述したメモリに記憶されているものとする。
【００４６】
ＢＵＳＹ解除待ちタイマーＴ１が、ＢＵＳＹ解除待ちタイマーのタイムアウト時間Ｔ１＿ＭＡＸ未満である場合、アクセサリが起動していない可能性がある。したがって、この場合は、タイムアウト時間Ｔ１＿ＭＡＸが経過するまで、カメラ制御部１０１は、ＢＵＳＹ入力端子がＨｉレベルからＬｏレベルへの変化の検出を継続する。また、ＢＵＳＹ解除待ちタイマーＴ１が、ＢＵＳＹ解除待ちタイマーのタイムアウト時間Ｔ１＿ＭＡＸ以上となった場合、ＢＵＳＹ解除待ちのタイムアウトとして、ステップＳ４０６へ移行する。
【００４７】
ここで、アクセサリはＢＵＳＹを引いて（ＬＣＬＫ端子にＬｏレベル出力）から所定時間以内にＢＵＳＹを解除（ＬＣＬＫ端子の出力タイプをオープンへと変更後、プルアップ抵抗１１０によりＬＣＬＫ端子がＨｉレベルを示す）する構成である。その為、ＢＵＳＹ解除待ちタイマーのタイムアウト時間Ｔ１＿ＭＡＸは、アクセサリがＢＵＳＹを引いてから解除しなければならない所定時間よりも長い時間を設定する。
【００４８】
なお、ＢＵＳＹ解除待ちタイマーＴ１がタイムアウト時間Ｔ１＿ＭＡＸ以上となる場合は、アクセサリの起動不良や通信端子の接続不良などの不具合が起きている虞があるため、エラー処理を行う構成であってもよい。本実施形態では、通信を行なわないアクセサリなどのＢＵＳＹ解除をしないアクセサリを考慮して、ＢＵＳＹ解除待ちがタイムアウトした場合も、次の処理に進む。
【００４９】
次に、ステップＳ４０６でカメラ制御部１０１は、通信開始待ちタイマーＴ２をクリアし、タイマーＴ２に基づく時間計測を開始し、ステップＳ４０７へ移行する。なお、タイマーによる時間計測は、カメラ本体１００の内部に設けられた不図示のリアルタイムクロックで実行される。
【００５０】
次に、ステップＳ４０７でカメラ制御部１０１は、カメラ側通信Ｉ／Ｆ部１０３を介して入力されるＤＬＣ端子１５５の電圧レベルを監視し、ＤＬＣ端子１５５がＬｏレベルを示すか否かを判定する。ＤＬＣ端子１５５がＬｏレベルを示していない場合は、ステップＳ４０８へ移行する。また、ＤＬＣ端子１５５がＬｏレベルを示している場合は、ステップＳ４０９へ移行する。
【００５１】
次に、ステップＳ４０８でカメラ制御部１０１は、通信開始待ちタイマーＴ２が、通信開始待ちタイマーのタイムアウト時間Ｔ２＿ＭＡＸ未満であるかを判定する。通信開始待ちタイマーＴ２が、通信開始待ちタイマーのタイムアウト時間Ｔ２＿ＭＡＸ未満である場合、アクセサリが通信準備待ち状態の可能性があるので、タイムアウト時間Ｔ２＿ＭＡＸが経過するまでＤＬＣ端子の電圧レベルの監視を継続する。また、通信開始待ちタイマーＴ２が、タイムアウト時間Ｔ２＿ＭＡＸ以上である場合は、通信を行わない（通信不能を含む）アクセサリがカメラ本体１００に装着されたと判定して、ステップＳ４１１へ移行する。
【００５２】
ここで、アクセサリはＢＵＳＹを引いて（ＬＣＬＫ端子にＬｏレベル出力）から所定時間以内にＤＬＣ端子の出力をＬｏレベルにする構成である。その為、通信開始待ちタイマーのタイムアウト時間Ｔ２＿ＭＡＸは、当該所定時間よりも長い時間を設定する。
【００５３】
次に、ステップＳ４０９でカメラ制御部１０１は、カメラ本体１００に装着されているアクセサリが、通信可能なアクセサリ（例えば、第２の交換レンズ３００など）と判断し、ステップＳ４１０へ移行する。そして、ステップＳ４１０でカメラ制御部１０１は、レンズ制御部３０１との通信を行い、通信で取得したアクセサリの情報に基づいて、カメラ電源部１０２を制御し、ＶＢＡＴ端子１５１を介したアクセサリ側への電源（ＶＢＡＴ電源）の供給を開始する。
【００５４】
次に、ステップＳ４１１でカメラ制御部１０１は、ＤＣＬ端子１５６から出力信号の電圧レベルをＨｉ→Ｌｏ→Ｈｉと切り替えＬｏパルス出力を行うと共に、ＤＬＣ端子１５５が示す入力信号の電圧レベルを監視する。ここで、図１に図示するような第１の交換レンズ２００の場合、ＤＬＣ端子２５５とＤＣＬ端子２５６が、第１の交換レンズ２００の内部で電気的に接続されている。したがって、第１の交換レンズ２００のＤＬＣ端子２５５にはＤＣＬ端子２５６に入力された信号と略同一の電圧レベルの信号が出力される。なお、第１の交換レンズ２００の内部回路としては、ＤＣＬ端子２５６とＤＬＣ端子２５５とが例えばフレキシブルプリント配線等で電気的に接続されている。したがって、当該配線の電気的な損失などに起因して、ＤＣＬ端子２５６とＤＬＣ端子２５５とが示す電圧レベルに差が生じる場合があるが、本実施形態では、この差は微小なものとして無視する。実際は、ＤＣＬ端子２５６が示す電圧とＤＬＣ端子２５５が示す電圧とが所定の誤差範囲内に収まる電圧レベルである場合に、両者が略同一であると判定する。
【００５５】
次に、ステップＳ４１２でカメラ制御部１０１は、ＤＬＣ端子１５５が示す入力信号の電圧レベルが、ＤＣＬ端子１５６からの出力信号（Ｌｏパルス）の電圧レベルと略同一（の信号の変化を検出した）か否かを判定する。換言すると、ＤＬＣ端子１５５の入力信号がＤＣＬ端子１５６から出力した信号と同期して変化する信号であるか否かを判定する。そして、ＤＬＣ端子１５５が示す入力信号がＤＣＬ端子１５６と略同一であると判定された場合は、ステップＳ４１３へ移行する。また、ＤＬＣ端子１５５が示す入力信号がＤＣＬ端子１５６の出力信号と略同一の信号ではないと判定された場合は、ステップＳ４１５へ移行する。
【００５６】
次に、ステップＳ４１３でカメラ制御部１０１は、カメラ本体１００に装着されたアクセサリが通信を行わないが電源供給は可能なアクセサリ（非通信＋電源供給可能なアクセサリ）であると判断し、ステップＳ４１４へ移行する。そして、ステップＳ４１４でカメラ制御部１０１は、カメラ電源部１０２を制御し、ＶＢＡＴ端子１５１を介したアクセサリ側への電源供給を開始する。
【００５７】
対して、ステップＳ４１５でカメラ制御部１０１は、カメラ本体１００に装着されたアクセサリが通信も電源供給も行わないアクセサリ（非通信＋非電源供給アクセサリ）であると判定する。そして、この場合は、カメラ本体１００側とアクセサリとの間において、以降の処理においてＶＢＡＴ電源の供給および通信は行わず、電源供給判定処理を終了する。なお、本実施形態では、ステップＳ４１５の処理に進み、カメラ本体１００に装着されたアクセサリが非通信＋非電源供給アクセサリであると判定された場合であっても、ＶＤＤ電源のアクセサリへの供給は継続する。これは、カメラ本体１００に装着されているアクセサリの着脱時を想定し、ＭＩＦ端子１５７から出力される信号に基づきアクセサリの検出を継続するためにアクセサリ側でＶＤＤ電源を使用する可能性があるためである。なお、これに限定されるものではなく、電力消費を低減するために、ステップＳ４１５の処理を経てＶＤＤ電源のアクセサリ側への供給を遮断する構成であってもよい。
【００５８】
なお、上述した説明では、非通信＋ＶＢＡＴ電源の供給可能なアクセサリの構成として、例えば、第１の交換レンズ２００におけるＤＬＣ端子２５５とＤＣＬ端子２５６が電気的に接続された構成について説明したが、これに限定されるものではない。例えば、撮像装置側から信号を出力するのに用いる端子と、撮像装置側へと信号を入力するのに用いる端子の組み合わせであればどの端子を電気的に接続してもよい。例えば、第１の交換レンズ２００において、ＬＣＬＫ端子２５４とＤＬＣ端子２５５とが、レンズ内部で双方のみと電気的に接続されている構成で合ってもよい。なお、この場合は、カメラ本体１００側の内部構成について適宜変更すればよい。
【００５９】
（第１実施形態の変形例）
以下、図６、７を参照して、前述した第１実施形態の変形例について説明する。なお、第１の交換レンズ２００の構成については、前述した第１実施形態と同一なので説明は省略する。図６は、本発明の変形例に係るレンズ交換方式を採用した第２のカメラ本体４００と第３の交換レンズ７００が接続されているカメラ及びカメラアクセサリの内部構成ブロック図を例示的に説明した図である。
【００６０】
図６に図示するように、第２のカメラ本体４００は、前述第１実施形態のカメラ本体（第１のカメラ本体）１００とは異なるマウント部である第４マウント部Ｄを備えている。なお、カメラ制御部４０１、カメラ電源部４０２およびカメラ側通信Ｉ／Ｆ部４０３については、前述したカメラ本体１００のカメラ制御部１０１、カメラ電源部１０２およびカメラ側通信Ｉ／Ｆ部１０３と略同一であるので説明は省略する。
【００６１】
また、図６に図示するように、第３の交換レンズ７００は、前述した第１の交換レンズ２００および第２の交換レンズ３００とは異なるマウント部である第５マウント部Ｅを備えている。なお、レンズ制御部７０１、レンズ電源部７０２および駆動回路部７０４については、前述した第１の交換レンズ２００のレンズ制御部２０１、レンズ電源部２０２および駆動回路部２０４と略同一であるので説明は省略する。
【００６２】
ここで、第３の交換レンズ７００および後述する中間アダプタ８００は、第４マウント部Ｄを備えたカメラ本体４００に対して直接接続ができるアクセサリである。撮像装置に対するアクセサリの着脱は、両者のマウント部に設けられた不図示のバヨネット爪群同士の結合（バヨネット結合）によって実現される。カメラ本体４００とカメラ本体４００に着脱可能なアクセサリ双方のマウント部をまとめてマウント部２と称する。
【００６３】
ここで、図６に図示するように、図１に図示したマウント部１に対して、マウント部２では、複数の端子として、ＤＬＣ２端子、ＣＳ端子、ＤＣＡ端子およびＴＹＰＥ端子が新たに追加されている。なお、複数の端子の配列（並び）についても、マウント部１とマウント部２とはそれぞれ異なる。
【００６４】
マウント部２について新たに追加された端子のうち、特にＴＹＰＥ端子４６２、７６２以外の３つの端子（ＤＬＣ２端子４５９、７５９、ＣＳ端子４６０、７６０、ＤＣＡ端子４６１、７６１）は、撮像装置とアクセサリとの通信用端子として用いられる。なお、ＶＢＡＴ端子４５１、ＰＧＮＤ端子４５２、ＶＤＤ端子４５３、ＬＣＬＫ端子４５４、ＤＬＣ端子４５５、ＤＣＬ端子４５６、ＭＩＦ端子４５７、ＤＧＮＤ端子４５８は、前述のカメラ本体１００の同じ名称の端子と略同一であるので、説明は省略する。同様に、ＶＢＡＴ端子７５１、ＰＧＮＤ端子７５２、ＶＤＤ端子７５３、ＬＣＬＫ端子７５４、ＤＬＣ端子７５５、ＤＣＬ端子７５６、ＭＩＦ端子７５７、ＤＧＮＤ端子７５８は、第１の交換レンズ２００の同じ名称の端子と略同一であるので、説明は省略する。
【００６５】
第２のカメラ本体４００側において、ＤＬＣ２端子４６１は、抵抗４１２を介してＤＧＮＤ端子４５８と電気的に接続されている。また、ＣＳ端子４６０およびＤＣＡ端子４６１は、抵抗４１３および抵抗４１４を介してカメラ電源部４０２と接続され、通信制御用のＶＤＤ電源と電気的に接続される。また、ＴＹＰＥ端子４６２は、抵抗４０４を介してＤＧＮＤ端子４５８と電気的に接続されている。なお、ＬＣＬＫ端子４５４およびＤＬＣ端子４５５については、前述したカメラ本体１００と同様に、それぞれ抵抗４１０と抵抗４１１を介してカメラ電源部４０２と接続され、通信制御用のＶＤＤ電源と電気的に接続される。
【００６６】
ここで、本変形例で示す第３の交換レンズ７００においても、前述した第１実施形態の第１の交換レンズ２００と同様に、交換レンズの内部で、ＤＬＣ端子７５５とＤＣＬ端子７５６とは、互いのみが電気的に接続されている。したがって、第２のカメラ本体４００に第３の交換レンズ７００が装着され際も、第１実施形態と同様に電源供給判定処理を実行可能であって、第３の交換レンズ７００が、非通信＋ＶＢＡＴ電源の供給が可能なアクセサリであると判定できる。
【００６７】
なお、上述した説明では、非通信＋ＶＢＡＴ電源の供給可能なアクセサリの構成としては、例えば、ＤＬＣ２端子７５９とＤＣＬ端子７５６とが電気的に接続された構成であってもよい。すなわち、撮像装置側から信号を出力するのに用いる端子と、撮像装置側へと信号を入力するのに用いる端子の組み合わせであればどの端子を電気的に接続してもよい。
【００６８】
また、図７に図示するように、撮像装置に装着されるアクセサリが交換レンズ以外のアクセサリであっても、前述した電源供給判定処理を実行可能である。図７は、本発明の変形例に係る第２のカメラ本体４００と第１の交換レンズ２００が中間アダプタ８００介して接続されている場合のカメラシステムに係る内部構成ブロック図を例示的に説明した図である。
【００６９】
なお、図７に図示するカメラシステムとしては、第２のカメラ本体４００と第１の交換レンズ２００とを間接的に接続するための中間アダプタ（変換アダプタ）８００により、両者が間接的に接続された状態を例示している。したがって、中間アダプタ８００としては、一方の側に、第２のカメラ本体４００の第４マウント部Ｄに直接接続できる第５マウント部Ｅを備え、他方の側に、第１の交換レンズ２００に直接接続できる第１マウント部Ａを備えている。そして、中間アダプタ８００は、第５マウント部Ｅ側に、前述した第３の交換レンズ７００に設けられた複数の端子と同一の端子を備え、第１マウント部Ａ側に、前述した第１のカメラ本体１００に設けられた複数の端子と同一の端子を備えている。
【００７０】
図７に図示するように、中間アダプタ８００に設けられた複数の端子のうち、ＤＬＣ端子７５５とＤＣＬ端子７５６とが、中間アダプタ８００の内部において、それぞれのみと電気的に接続されている。この構成であれば、撮像装置にアダプタが装着された場合など、撮像装置に装着されるアクセサリが交換レンズ以外のアクセサリであっても、前述した電源供給判定処理を実行可能である。
【００７１】
なお、中間アダプタ８００の先に前述した第１の交換レンズ２００が装着される場合を前提とする。この場合、例えば、中間アダプタ８００のＤＬＣ端子７５５とＤＬＣ端子１５５が電気的に接続（スルー接続）され、ＤＣＬ端子７５６とＤＣＬ端子１５６が電気的に接続（スルー接続）されている構成であってもよい。
【００７２】
（第２実施形態）
以下、図８、９を参照して、本発明の撮像装置および当該撮像装置に着脱可能なアクセサリに係る撮像システムの第１実施形態について説明する。
【００７３】
図８は、本発明の第２実施形態に係るレンズ交換方式を採用したカメラ本体１００と第４の交換レンズ８００が接続されているカメラ及びカメラアクセサリの内部構成ブロック図である。なお、カメラ本体１００の構成については、前述した第１実施形態と同一なので説明は省略する。また、第４の交換レンズ８００については、第１実施形態で前述した第１の交換レンズ２００と同一の構成については同一の符号を付し、説明を省略する。図８に図示するように、第１の交換レンズ２００と第４の交換レンズ８００との差異は、複数の端子のうちの、ＤＬＣ端子８５５、ＤＣＬ端子８５６が互いに電気的に接続されるだけでなく、ＤＧＮＤ端子２５８とも電気的に接続されることである。換言すると、ＤＬＣ端子８５５、ＤＣＬ端子８５６は、第４の交換レンズ８００の内部において、グランドレベル（基準電圧レベル）に接続されている。
【００７４】
なお、第１実施形態で説明したように、第４の交換レンズ８００のＤＬＣ端子８５５およびＤＣＬ端子８５６としては、カメラ本体１００のＤＬＣ端子１５５、ＤＣＬ端子１５６と、それぞれが電気的に接続されればよい。また、本実施形態においても、前述した第１実施形態の図３で図示するように、交換レンズの内部に電気回路部を設け、ＤＣＬ端子８５６及びＤＬＣ端子８５５にＤＧＮＤ端子２５８と同様の電位レベルを出力する構成としても良い。
【００７５】
次に図９を参照して、本発明の第２実施形態に係る、カメラ本体１００に第４の交換レンズ８００が装着された場合の、カメラ側からアクセサリ側への電源（ＶＢＡＴ電源）の供給可否を判定するためのアクセサリへの電源供給判定処理について説明する。図９は、本発明の第２実施形態に係る電源供給判定処理に係るフローチャートである。なお、図９におけるステップＳ９０１からＳ９０５については、前述した第１実施形態における図４に図示するステップＳ４０１からＳ４０５と同様の処理であるため、説明は省略する。
【００７６】
ステップＳ９０６でカメラ制御部１０１は、カメラ側通信Ｉ／Ｆ部１０３を介して入力されるＤＣＬ端子１５６の電圧レベルを監視し、ＤＣＬ端子１５６がＬｏレベルを示すか否かを判定する。なお、ＤＣＬ端子１５６がＬｏレベルを示す場合としては、前述したように、カメラ制御部１０１のＢＵＳＹ入力端子によるＢＵＳＹ解除を検出した場合や、ＢＵＳＹ解除待ちのタイムアウトとなった場合などである。ＤＣＬ端子１５６が示す電圧レベルがＬｏレベルでは無かった場合、ステップＳ８０７へ移行し、ＤＣＬ端子１５６がＬｏレベルを示す場合は、ステップＳ８１３へ移行する。
【００７７】
ここで、第４の交換レンズ８００がカメラ本体１００に装着されている場合は、ＤＣＬ端子８５６がＤＧＮＤ端子２５８と電気的に接続されている為、ＤＣＬ端子８５６の電圧レベルがＬｏレベルを示す。これに対して、図５に図示したような第２の交換レンズ３００がカメラ本体１００に装着された場合は、ＤＣＬ端子３５６が抵抗３１１を介してＶＤＤ端子３５３（すなわち、ＶＤＤ電源）に接続されているため、ＤＣＬ端子３５６はＨｉレベルを示す。この構成により、前述した第１実施形態における第１の交換レンズ２００と同様に、第４の交換レンズ８００についても、通信は行わないがＶＢＡＴ電源の供給が可能なアクセサリをカメラ本体１００側で検出することができる。検出に係る詳細は後述する。
【００７８】
ステップＳ９０７〜Ｓ９１０の処理は、前述した第１実施形態における図４に図示するステップＳ４０７からＳ４１０と同様の処理であるため、説明は省略する。次に、ステップＳ９１１でカメラ制御部１０１は、ステップＳ９０８で通信開始待ちタイマーＴ２が信開始待ちタイマーのタイムアウト時間Ｔ２＿ＭＡＸ以上であると判定された場合に、通信異常のアクセサリがカメラ本体１００に装着されたと判定する。そして、カメラ制御部１０１は、各種エラー処理を実行してステップＳ６１２の処理へと移行する。なお、ステップＳ９０８で通信開始待ちタイマーＴ２が信開始待ちタイマーのタイムアウト時間Ｔ２＿ＭＡＸ未満である判定された場合は、カメラ本体１００に装着されたアクセサリが通信準備待ち状態である可能性がある。そのため、本実施形態では、この場合に、ステップＳ９０７〜Ｓ９０８の処理を繰り返す構成である。
【００７９】
次に、ステップＳ６１２でカメラ制御部１０１は、カメラ電源部１０２を制御し、ＶＤＤ端子１５３を介したアクセサリ側へのＶＤＤ電源の供給を中止する。なお、本実施形態ではアクセサリが通信異常を起こしていると判断した場合に、ＶＤＤ電源のアクセサリ側への供給を遮断し、且つ、電源供給判定処理を終了する構成だが、これに限定されるものではない。例えば、少なくともステップ９１１以降の処理から、ステップＳ９０２の処理に戻り、ＶＤＤ電源の投入からリトライ処理を行う構成であってもよい。
【００８０】
次に、ＤＣＬ端子１５６がＬｏレベルを示す場合（ステップＳ９０７でＹｅｓ）、ステップＳ９１３でカメラ制御部１０１は、予め決められた所定の時間待ちを行い、ステップＳ９１４へ移行する。そして、ステップＳ９１４でカメラ制御部１０１は、改めてＤＣＬ端子１５６の電圧レベルを確認する。そして、ＤＣＬ端子１５６の電圧レベルがＬｏレベルを示す場合は、ステップＳ９１５へ移行し、ＤＣＬ端子１５６がＬｏレベルを示さない場合は、ステップＳ９０７へ移行する。ここで、ステップＳ９１３〜Ｓ９１４において、所定の時間待ち後にＤＣＬ端子１５６の電圧レベルを再確認する構成について説明したが、所定時間の間、ＤＣＬ端子１５６の電圧レベルを継続して検出（監視）する構成であってもよい。
【００８１】
次に、ステップＳ９１５でカメラ制御部１０１は、カメラ側通信Ｉ／Ｆ部１０３を介して入力されるＤＬＣ端子１５５の電圧レベルがＬｏレベルを示すか否かを判定する。そして、ＤＬＣ端子１５５がＬｏレベルを示さない場合にはステップＳ９１８へ移行し、ＤＬＣ端子１５５がＬｏレベルを示す場合には、ステップＳ９１６へ移行する。以降のステップＳ９１６〜Ｓ９１８の処理は、前述した第１実施形態における図４に図示するステップＳ４１３からＳ４１５と同様の処理であるため、説明は省略する。すなわち、ＤＬＣ端子１５５がＬｏレベルを示さない場合、カメラ本体１００に装着されているアクセサリが通信を行わないが電源供給は可能なアクセサリ（非通信＋電源供給可能なアクセサリ）であると判断する。また、ＤＬＣ端子１５５がＬｏレベルを示す場合、カメラ本体１００に装着されているアクセサリが通信も電源供給も行わないアクセサリ（非通信＋非電源供給アクセサリ）であると判定する。
【００８２】
以上説明したように、本実施形態に係る撮像装置およびアクセサリに係る撮像システムであっても、システムの回路規模を大きくすることなく、撮像装置に装着可能な多様なアクセサリの中から、装着済のアクセサリの種類を正確に判定することができる。そして、判定したアクセサリの種類に応じて、撮像装置とアクセサリとの間における通信および電源供給（ＶＢＡＴ電源）の有無を正確に制御することができる。特に、通信可否に依らず、電源供給可能なアクセサリが撮像装置に装着された場合は、撮像装置側からアクセサリ側への電源供給を正確に行うことができる。
【００８３】
以上、本発明の好ましい実施形態について説明したが、本発明はこれらに限定されず、その要旨の範囲内で種々の変形および変更が可能である。例えば、前述した実施形態では、撮像装置の一例としてデジタルカメラを採用した場合について説明したが、デジタルビデオカメラやセキュリティカメラなど、デジタルカメラ以外の撮像装置を採用する構成であってもよい。
【００８４】
また、前述した実施形態では、本発明を実施するカメラアクセサリの一例として交換レンズやアダプタを例に挙げて説明したが、これに限定されるものではない。例えば、撮像装置に着脱自在な（カメラ）アクセサリとしては、撮像装置のマウント部に直接的および間接的に結合（装着）可能なものであれば、上述した以外の機器を採用してもよい。
【００８５】
また、前述した実施形態に係る撮像装置およびアクセサリとしては、マウント部に設けられた端子が接点面や接点ピンなどであればよい。例えば、撮像装置側のマウント部に複数の接点ピンを備え、アクセサリ側のマウント部に前述した複数の接点ピンのそれぞれに対応した複数の接点面を備える構成であればよい。
【００８６】
また、前述した実施形態では、アクセサリの内部に制御部（例えば、第１の交換レンズ２００におけるレンズ制御部２０１）を備える構成について説明したが、これに限るものでは無い。例えば、アクセサリ側には制御手段を備えず、撮像装置側のからの指示および電源供給のみで動作する構成でもよい。
【００８７】
また、前述した実施形態において、カメラ本体におけるカメラ制御部１０１としては、アクセサリへ供給可能な電力量に応じて、ＶＢＡＴ電圧を適宜変更可能な構成であってもよい。この場合、アクセサリの内部に設けられた駆動回路部が、撮像装置から供給された後述のＶＢＡＴ電源の電圧レベルをモニタリングする機能を備え、ＶＢＡＴ電源の電圧レベルをアクセサリ内の制御部へ通知する。そして、当該制御部は、ＶＢＡＴ電源の電圧レベルに応じてレンズ側で使用可能な電力量を決定する。この構成により、撮像装置とアクセサリとの間で通信により供給電力などに関する情報を通知する必要がなく、アクセサリ側で使用可能な電力をアクセサリ自身が把握することができる。
【００８８】
また、前述した実施形態において、撮像装置とアクセサリが備えるマウント部としては、例えは、互いに直接的な結合（装着）が可能な１組で端子の配列が同一であれば、前述した物とは異なる配列であっても構わない。本発明に係るマウント部としては、撮像装置および撮像装置に装着可能なアクセサリとの間で信号の送受に用いる端子が、アクセサリの内部で電気的に接続されている構成であれば、複数の端子の配列はどのようなものであってもよい。
【符号の説明】
【００８９】
１００  カメラ本体
１０１  カメラ制御部
１５１−１５８  複数の端子
２００  第１の交換レンズ
２５１−２５８  複数の端子
４００  第２のカメラ本体
４０１  カメラ制御部
４５１−４６２  複数の端子
７００  第３の交換レンズ
７５１−７６２  複数の端子
８００  中間アダプタ
【図１】
2020095221.tif 000003
【図２】
2020095221.tif 000004
【図３】
2020095221.tif 000005
【図４】
2020095221.tif 000006
【図５】
2020095221.tif 000007
【図６】
2020095221.tif 000008
【図７】
2020095221.tif 000009
【図８】
2020095221.tif 000010
【図９】
2020095221.tif 000011